(57)【要約】【課題】  押出成形によって形成される筐体に保護カバーを容易に取付け可能な照明器具を提供する。【解決手段】  照明器具１は、長尺の基板７の一面７ａ側に設けられた発光素子８を有する発光体２と、長手方向に貫通孔２０が形成され、外面３ａに長手方向に亘って基板７が取り付けられる取付部１４、取付部１４を挟んで長手方向に亘って形成され長手方向の両端面３ｅ，３ｆおよび外面３ａにそれぞれ露出する一対の取付溝２２，２２を有する押出成形によって形成された筐体３と、貫通孔２０に収納された点灯装置６と、筐体３の外面３ａ側から一対の取付溝２２，２２に取り付けられる取付け具３７により、発光体２を覆うように筐体３に取り付けられた透光性の保護カバー４と、筐体３の端面３ｅ，３ｆ側から一対の取付溝２２，２２に取り付けられる固定具３９により、貫通孔２０を塞ぐように筐体３に取り付けられた一対の端板５，５と、を具備している。【選択図】図３
2014022262.tif 000002
【特許請求の範囲】
【請求項１】
長尺の基板およびこの基板の一面側に設けられた発光素子を有する発光体と；
長手方向に貫通孔が形成され、外面に長手方向に亘って前記基板が取り付けられる取付部、この取付部を挟んで長手方向に亘って形成され長手方向の両端面および前記取付部が設けられた外面にそれぞれ露出する一対の取付溝を有する押出成形によって形成された角筒状の筐体と；
前記貫通孔に収納され、前記発光素子を点灯する点灯装置と；
前記筐体の外面側から前記一対の取付溝に取り付けられる取付け具により、前記発光体を覆うように前記筐体に取り付けられた透光性の保護カバーと；
前記筐体の端面側から前記一対の取付溝に取り付けられる固定具により、前記筐体の長手方向の両端面において前記貫通孔を塞ぐように前記筐体に取り付けられた一対の端板と；
を具備していることを特徴とする照明器具。
【請求項２】
前記筐体の取付部には、前記筐体の長手方向に亘って凹溝が設けられ、前記発光体の基板が前記凹溝に固定される固定部品により前記取付部に取り付けられていることを特徴とする請求項１記載の照明器具。
【請求項３】
前記一対の取付溝は、前記筐体の短手方向において、前記筐体の外面側が前記筐体の内部よりも幅狭に形成されていることを特徴とする請求項１または２記載の照明器具。
【発明の詳細な説明】
【技術分野】
【０００１】
本発明の実施形態は、基板に光源としての発光素子が実装された発光体を具備する照明器具に関する。
【背景技術】
【０００２】
天井や壁等の造営物に設置される照明器具には、発光素子としてのＬＥＤ素子が長尺の基板に実装された発光体（ＬＥＤモジュール）が使用されている。この発光体は、筐体（器具本体）に配設されている。筐体は、例えばアルミニウム材を押し出し成形することによって形成しているものがある。これは、照明器具の全長寸法に対応可能とするものである。
【０００３】
そして、筐体は、例えば断面略Ｕ形に形成され、その内部に、発光体、反射板や発光体を点灯制御する電源装置を配設するためのレール（凹溝）が設けられている（例えば特許文献１参照。）。また、筐体が略角筒状に形成され、その内部に、発光体を覆う保護カバーを取り付けるためのレール（凹溝）が設けられている（例えば特許文献２参照。）。そして、それらの筐体には、長手方向の両端に形成される開口を閉塞する端板（端部カバー）を取り付けるためのレール（凹溝）または穿孔が長手方向に亘って設けられている。
【０００４】
ところで、上記照明器具には、ライン照明や一般家庭における流し元灯として構成されているものがある。この照明器具は、直線状に途切れなくライン照明を形成するために、電源装置を筐体内に配設し、筐体を薄形化させるために、発光体を筐体の外面側に設けている。発光体を覆う保護カバーは、筐体の外面側にねじ止めされている。
【先行技術文献】
【特許文献】
【０００５】
【特許文献１】特許第４０３４５１４号公報（第４頁、第２図）
【特許文献２】特許第４７９８４９９号公報（第５頁、第２図）
【発明の概要】
【発明が解決しようとする課題】
【０００６】
押出成形された筐体（器具本体）に保護カバーなどを取り付けるねじ孔や取付け孔を形成する作業は、製造工程において、手間と時間を要する。これにより、照明器具の生産性が低下し、照明器具がコストアップする。
【０００７】
本発明の実施形態は、押出成形によって形成される筐体に保護カバーを容易に取付け可能な照明器具を提供することを目的とする。
【課題を解決するための手段】
【０００８】
実施形態の照明器具は、発光体、筐体、点灯装置、保護カバーおよび一対の端板を具備して構成される。
【０００９】
発光体は、長尺の基板および発光素子を有して形成される。発光素子は、基板の一面側に設けられる。
【００１０】
筐体は、長手方向に貫通孔を有しなり、押出成形によって角筒状に形成されている。そして、筐体は、その外面に、発光体の基板が取り付けられる取付部と、一対の取付溝が形成されている。取付部は、筐体の長手方向に亘って形成される。また、一対の取付溝は、取付部を挟んで筐体の長手方向に亘って形成されるとともに、長手方向の両端面および取付部が形成された外面にそれぞれ露出するように形成される。
【００１１】
点灯装置は、発光体の発光素子を点灯するように形成される。そして、筐体の貫通孔に収納される。
【００１２】
保護カバーは、透光性を有してなり、筐体の外面側から一対の取付溝に取り付けられる取付け具により、発光体を覆うように筐体に取り付けられる。
【００１３】
一対の端板は、筐体の端面側から一対の取付溝に取り付けられる固定具により、筐体の長手方向の両端面において貫通孔を塞ぐように筐体に取り付けられる。
【発明の効果】
【００１４】
本発明の実施形態によれば、筐体の長手方向の両端面に端板を取り付けるための一対の取付溝は、取付部が形成された外面にも露出するように形成されており、保護カバーは、一対の取付溝に取り付けられる取付け具により筐体に取り付けられるので、取付部が形成された外面に取付け用のねじ孔を形成することなく、発光体を覆って保護カバーを取り付けることができて、これにより、照明器具のコストアップが抑えられることが期待できる。
【図面の簡単な説明】
【００１５】
【図１】本発明の第１の実施形態を示す照明器具の保護カバーを透視した概略下面図である。
【図２】同上照明器具の一部切り欠き概略側面図である。
【図３】同上、図１のＡ−Ａ矢視方向の概略側断面図である。
【図４】同上、筐体の概略側面図である。
【図５】同上、筐体であり、（ａ）は概略上面図、（ｂ）は概略側面図である。
【図６】同上、別の筐体の概略側面図である。
【図７】本発明の第２の実施形態を示す照明器具の概略側断面図である。
【発明を実施するための形態】
【００１６】
以下、本発明の一実施の形態について、図面を参照して説明する。まず、本発明の第１の実施形態について説明する。
【００１７】
本実施形態の照明器具１は、図１ないし図６に示すように構成される。この照明器具１は、天井や壁面に取り付けられる例えば流し元灯であり、図１に示すように、発光体２、筐体３、保護カバー４および一対の端板５，５を有して形成されている。また、図３に示すように、筐体３内に配設した点灯装置６を具備している。
【００１８】
図１において、発光体２は、基板としての実装基板７および発光素子としてのＬＥＤ素子８を有するＬＥＤモジュールに形成されている。実装基板７は、長尺であって、平板状の合成樹脂板例えば厚さ１．０ｍｍのガラスエポキシ材からなり、一面７ａにＬＥＤ素子８を実装している。ＬＥＤ素子８は、実装基板７の長手方向に等間隔に本実施形態では直線状に１列に設けられており、図示しない配線パターンにより直列接続されている。
【００１９】
また、実装基板７の長手方向両端側には、それぞれコネクタ９，１０がそれぞれ配設されている。このコネクタ９，１０は、図示しない配線パターンにより直列接続されたＬＥＤ素子８にそれぞれ接続されている。ＬＥＤ素子８は、パッケージ品であり、所定の色光例えば白色光を放射するものが用いられている。
【００２０】
そして、本実施形態では、２個の発光体２が用いられている。発光体２，２同士は、コネクタ１１，１２を有するリード線１３により電気接続されている。すなわち、一方の発光体２のコネクタ１０にコネクタ１１が接続され、他方の発光体２のコネクタ９にコネクタ１２が接続されている。
【００２１】
そして、２個の発光体２は、筐体３の取付部１４に直線状に取り付けられている。実装基板７には、図示しない取付け孔が形成されており、この取付け孔を通して、ねじ１５が取付部１４に形成された図示しないねじ孔に螺着されている。ここで、２個の発光体２の隣り合うＬＥＤ素子８，８間は、図１中、離れているが、実際は、他のＬＥＤ素子８，８間と略同等の間隔となるようにしている。
【００２２】
なお、実装基板７は、合成樹脂板に限らず、金属板例えばアルミニウム（Ａｌ）板であってもよい。この場合、実装基板７の一面７ａ側に形成された絶縁層を介してＬＥＤ素子８が実装される。また、実装基板７は、そのものが絶縁性を有するセラミックス板であってもよい。また、発光体２は、２個に限らず、取付部１４の全長に応じて、３個または４個以上が設けられてもよい。また、発光体２は、取付部１４に、１個の実装基板７が設けられるように形成されてもよい。
【００２３】
筐体３は、高熱伝導率を有し、比較的軽量である金属例えばアルミニウム（Ａｌ）からなり、押し出し成形により形成された押出成形体である。筐体３は、押出成形体に形成されることにより、長手方向で適宜に切断することができ、照明器具１の全長寸法に応じて、長手方向で当該全長寸法にほぼ切断される。すなわち、押出成形体を例えば３０ｃｍ、６０ｃｍ、９０ｃｍ、１２０ｃｍに切断することによって、当該長手寸法を有する筐体３が得られる。
【００２４】
そして、筐体３は、図４に示すように、長手方向と直交する断面が正方形に近い長方形の角筒状に形成され、図４中、上下および両側のそれぞれの外面３ａ〜３ｄにそれぞれ凹溝１６〜１９が長手方向に亘って形成され、内部に長手方向に亘る貫通孔２０が形成されている。凹溝１６〜１９および貫通孔２０は、それぞれ直方体の形状に形成されている。本実施形態では、凹溝１６および凹溝１７は同一の大きさに形成され、凹溝１８および凹溝１９は別の同一の大きさに形成されている。また、凹溝１６〜１９は、それぞれ外面３ａ〜３ｄから浅く形成されている。
【００２５】
また、貫通孔２０は、筐体３の内部に大きく形成され、図４中、上下面２０ａ，２０ｂに互いに正対する挿入溝２１，２１が筐体３の長手方向に亘って形成されている。この貫通孔２０には、点灯装置６が収納される。そして、外面３ａに形成された凹溝１６の底面１６ａは、発光体２の実装基板７が取り付けられる取付部１４となっている。
【００２６】
外面３ａには、凹溝１６（取付部１４）を挟んで一対の取付溝２２，２２が筐体３の長手方向に亘って形成されている。一対の取付溝２２，２２は、筐体３の外面３ａ側がスリット状に形成され、筐体３の内部側が前記スリット状よりも径大の円柱状に形成されている。すなわち、一対の取付溝２２，２２は、筐体３の長手方向と直交する短手方向において、筐体３の外面３ａ側が筐体３の内部よりも幅狭に形成されている。一対の取付溝２２，２２は、図５（ａ）に示すように、スリット状の幅狭部分が筐体３の長手方向に亘って外面３ａに露出して、長手方向の両端面３ｅ，３ｆに露出している。
【００２７】
そして、凹溝１８の底面１８ａおよび凹溝１９の底面１９ａには、図５（ｂ）に示すように、筐体３の長手方向の両端面３ｅ，３ｆ側において、貫通孔２０に連通する貫通孔２３，２３がそれぞれ形成されている。貫通孔２３，２３は、円柱状に形成されている。図４に示すように、凹溝１８に形成された貫通孔２３と、凹溝１９に形成された貫通孔２３とは、直線上となるように形成されている。貫通孔２３は、押出成形体が形成された後に穿孔により形成されている。
【００２８】
また、筐体３の外面３ｃ，３ｄには、取付溝２４がそれぞれ筐体３の長手方向に亘って形成されている。取付溝２４は、その底面２４ａが断面半円状に形成され、当該半円と同等の幅に形成されている。本実施形態では、当該半円の直径は、一対の取付溝２２，２２の円柱状の直径と同等となっている。
【００２９】
筐体３は、図３に示すように、取付部１４（凹溝１６の底面１６ａ）にねじ１５により発光体２が取り付けられている。また、貫通孔２０には、点灯装置６が収納されている。
【００３０】
点灯装置６は、回路基板２５およびこの回路基板２５に実装された回路部品２６を有して形成されている。そして、点灯装置６は、外部電源例えばＡＣ１００Ｖを直流電源に変換し、発光体２のＬＥＤ素子８に所定の電流を供給してＬＥＤ素子８を点灯するように形成されている。回路部品２６は、多数の電子部品やトランスなどからなり、ＬＥＤ素子８を点灯する既知の点灯回路を構成している。回路基板２５は、ガラスエポキシ材などの合成樹脂板やアルミニウム（Ａｌ）などの金属板からなり、長方形に形成されている。金属板の場合、絶縁層が形成されて、回路部品２６が実装されている。回路基板２５の長手方向の両端側には、挿通孔２７がそれぞれ形成されている。
【００３１】
点灯装置６は、回路基板２５の短手方向の両端部が貫通孔２０に形成された挿入孔２１，２１に挿入されている。これにより、点灯装置６は、回路基板２５の短手方向における移動が規制される。そして、回路基板２５は、筐体３の端面３ｅまたは端面３ｆ側から挿入孔２１，２１に挿入され、挿通孔２７が筐体３の凹溝１８，１９に形成された貫通孔２３，２３と直線上となるように、挿入孔２１，２１に位置されている。
【００３２】
そして、ボルト２８が凹溝１８側の貫通孔２３、回路基板２５の挿通孔２７および凹溝１９側の貫通孔２３に挿通されて、凹溝１９の底面１９ａにおいて、ナット２９がボルト２８に完全に締め付けられている。ボルト２８およびナット２９は、筐体３の長手方向の両端面３ｅ，３ｆ側において設けられている。これにより、点灯装置６は、回路基板２５の長手方向における移動が規制されている。
【００３３】
こうして、点灯装置６は、挿入孔２１，２１において固定されるようにして、筐体３の貫通孔２０に収納されている。また、点灯装置６は、筐体３の両端面３ｅ，３ｆから外方に突出しないように貫通孔２０に収納されている。
【００３４】
そして、点灯装置６は、その回路基板２５から図３において不図示の出力線３０，３０が導出されている。この出力線３０，３０は、図１に示すように、筐体３の長手方向の両端側において、凹溝１６の底面１６ａ（取付部１４）に形成された開口３１，３１から取付部１４側に導かれている。開口３１，３１は、それぞれ長方形の柱状に形成され、取付部１４から貫通孔２０に貫通している。
【００３５】
そして、出力線３０，３０の先端には、それぞれコネクタ３２，３２が接続されている。このコネクタ３２，３２は、一方の発光体２のコネクタ９および他方の発光体２のコネクタ１０にそれぞれ接続されている。これにより、２個の発光体２のＬＥＤ素子８は、点灯装置６により点灯可能となっている。
【００３６】
また、点灯装置６の回路基板２５には、外部電源を入力するための電源コード３３が接続されている。
【００３７】
そして、筐体３の外面３ａには、凹溝１６を覆う保護カバー４が取り付けられている。すなわち、保護カバー４は、２個の発光体２を覆うようにして筐体３の外面３ａに取り付けられている。
【００３８】
保護カバー４は、透光性の合成樹脂例えばアクリル樹脂からなり、図３に示すように、断面半楕円状のカバー部３４およびこのカバー部３４の両側に外方に突出するように設けられた平面状の取付け部３５，３５を有する筒体に形成されている。カバー部３４は、凹溝１６を内包する大きさに形成されている。また、取付け部３５，３５は、筐体３の外面３ｃ，３ｄよりも外方に突出しないように形成されている。そして、保護カバー４の長手方向両端は、側板部３６によりそれぞれ閉塞されている。
【００３９】
保護カバー４は、図１に示すように、その長手寸法が筐体３の長手寸法と同等または幾分小さくなるように形成されている。そして、保護カバー４は、その取付け部３５，３５が取付け具としてのタップネジ３７により筐体３の外面３ａに取り付けられている。取付け部３５，３５は、筐体３の長手方向に沿って複数個のタップネジ３７により筐体３に取り付けられている。すなわち、取付け部３５，３５には、図３に示すように、一対の取付溝２２，２２に対向する取付け孔３８が穿孔されている。取付け孔３８は、複数個が設けられ、一対の取付溝２２，２２上に位置するとともに、タップネジ３７が挿通可能な大きさに形成されている。タップネジ３７は、そのねじ込み部が取付溝２２のスリット状の部位の内径と同等または幾分径大のものが用いられている。
【００４０】
そして、タップネジ３７は、筐体３の外面３ａ側から取付け部３５の取付け孔３８を通して取付溝２２のスリット状の部位にねじ込まれる。このとき、タップネジ３７は、取付溝２２のスリット状の部位を螺旋状に削り取りながら取付溝２２にねじ込まれる。そして、タップネジ３７をその頭部３７ａが取付け部３５に当接するまでねじ込むことにより、タップネジ３７が取付溝２２に完全に取り付けられる。このとき、タップネジ３７の先端３７ｂは、取付溝２２の円柱状の部位に位置している。保護カバー４は、複数個のタップネジ３７が一対の取付溝２２，２２に完全に取り付けられて、筐体３の外面３ａに固定されている。
【００４１】
図１において、筐体３の長手方向の両端面３ｅ，３ｆには、固定具としてのタップネジ３９により、一対の端板５，５が取り付けられている。端板５，５は、例えば１〜２ｍｍの厚さを有する金属板例えば冷間圧延鋼板からなり、筐体３の端面３ｅ，３ｆを完全に覆う長方形に形成されている。端板５，５は、筐体３の一対の取付溝２２，２２および取付溝２４，２４にねじ込まれる４個のタップネジ３９により端面３ｅ，３ｆにそれぞれ取り付けられている。
【００４２】
端板５，５は、筐体３の長手方向の両端面３ｅ，３ｆにおいて、貫通孔２０を塞ぐように両端面３ｅ，３ｆに密接して取り付けられている。すなわち、端板５，５には、筐体３の一対の取付溝２２，２２の円柱状の部位および取付溝２４，２４の半円状の部位に対向する図示しない４個の取付け孔が穿孔されている。この取付け孔は、複数個が設けられ、タップネジ３９が挿通可能な大きさに形成されている。
【００４３】
タップネジ３９は、一対の取付溝２２，２２のスリット状の部位に取り付けられるタップネジ３７よりも大きい形状となっている。すなわち、タップネジ３９は、そのねじ込み部が取付溝２２の円柱状の部位（取付溝２４の半円状の部位）の内径と同等または幾分径大のものが用いられている。そして、２個のタップネジ３９は、筐体３の端面３ｅ，３ｆ側から端板５，５の取付け孔を通して一対の取付溝２２，２２の円柱状の部位にねじ込まれる。このとき、タップネジ３９は、取付溝２２の円柱状の部位を螺旋状に削り取りながら取付溝２２にねじ込まれる。そして、タップネジ３９をその頭部３９ａが端板５に当接するまでねじ込むことにより、タップネジ３９が取付溝２２に完全に取り付けられる。このとき、保護カバー４の取付け部３５の取付け孔３８は、筐体３の両端面３ｅ，３ｆから相応に離れているので、タップネジ３９は、タップネジ３７に当たらないものである。
【００４４】
また、２個のタップネジ３９は、筐体３の端面３ｅ，３ｆ側から端板５，５の取付け孔を通して取付溝２４，２４の半円状の部位にねじ込まれる。このとき、タップネジ３９は、取付溝２４の半円状の部位を螺旋状に削り取りながら取付溝２４にねじ込まれる。そして、タップネジ３９をその頭部３９ａが端板５に当接するまでねじ込むことにより、タップネジ３９が取付溝２４に完全に取り付けられる。
【００４５】
こうして、一対の端板５，５は、４個のタップネジ３９が一対の取付溝２２，２２および取付溝２４，２４に完全に取り付けられて、筐体３の長手方向の両端面３ｅ，３ｆにおいて貫通孔２０を塞ぐように筐体３に取り付けられている。そして、筐体３の端面３ｅに取り付けられた端板５から電源コード３３が引き出されている。当該端板５の中央部には、図示しない配設孔が形成されており、この配設孔にブッシング４０が取り付けられている。電源コード３３は、ブッシング４０を通って筐体３の貫通孔２０から筐体３の外部に引き出されている。
【００４６】
図２において、本実施形態の照明器具１は、天井や壁面などの造営物４１に取り付けられた取付け部材４２に取り付けられている。取付け部材４２は、例えば１〜２ｍｍの厚さを有する金属板例えば冷間圧延鋼板からなり、断面略コ字形の挟持体に形成されている。取付け部材４２は、平面状の底板部４３、この底板部４３の短手方向両側から同方向に直角に起立して設けられた側板部４４，４４およびこの側板部４４，４４の先端に互いに向き合うように設けられた係止板部４５，４５に形成されている。そして、取付け部材４２は、その長手寸法が筐体３の長手寸法よりも幾分小さくなるように形成されている。
【００４７】
底板部４３は、筐体３を設置可能に、その短手寸法が筐体３の短手寸法よりも若干大きくなるように形成されている。そして、図示しない取付け孔を通した例えば木ネジ４６が造営物４１にねじ込まれて、造営物４１に固定されている。木ネジ４６は、筐体３の凹溝１７に収容されている。
【００４８】
側板部４４，４４は、底板部４３の両側に互いに遠ざかるように拡開し、弾性復帰するものであり、係止板部４５，４５が凹溝１８，１９の壁面１８ｂ，１９ｂに係止するように、その底板部４３からの起立長が設定されている。係止板部４５，４５は、凹溝１８，１９の壁面１８ｂ，１９ｂに当接（係止）するように、それぞれ略く字形に形成されている。
【００４９】
筐体３を外面３ｂ側から側板部４４，４４間に挿入し、底板部４３側に押し込むようにする。側板部４４，４４は、筐体３が当接することにより拡開する。そして、係止板部４５，４５が凹溝１８，１９に位置するようになると、側板部４４，４４が弾性復帰し、係止板部４５，４５が凹溝１８，１９の壁面１８ｂ，１９ｂにそれぞれ係止する。こうして、照明器具１は、取付け部材４２によって造営物４１に取り付けられている。
【００５０】
次に、本発明の第１の実施形態の作用について述べる。
【００５１】
照明器具１は、電源コード３３を介して点灯装置６に外部電源が投入されると、点灯装置６が動作し、点灯装置６から出力線３０，３０を介して所定の電流が発光体２，２に供給される。各発光体２のＬＥＤ素子８が点灯し、ＬＥＤ素子８から白色光が放射される。この放射光は、保護カバー４のカバー部３４を透過して外部空間に出射し、例えば床面側を照明する。
【００５２】
そして、ＬＥＤ素子８の点灯に伴って各発光体２に発生した熱は、発光体２から筐体３に伝熱されて、筐体３の外面３ａ〜３ｄから放熱される。
【００５３】
照明器具１において、発光体２を保護する保護カバー４は、一対の端板５，５が取り付けられる一対の取付溝２２，２２に、筐体３の外面３ａ側から取付け具としてのタップネジ３７により筐体３の外面３ａに取り付けられる。したがって、外面３ａ側に保護カバー４を取り付けるためのねじ孔を形成する必要がなくなる。
【００５４】
また、一対の取付溝２２，２２は、筐体３の外面３ａ側がスリット状に形成され、筐体３の内部よりも幅狭に形成されているので、小型のタップネジ３７を用いて、保護カバー４の取付け部３５，３５が筐体３の外面３ａに取り付けられる。したがって、取付け部３５，３５の短手方向の幅に対するタップネジ３７の選択が容易になり、または、取付け部３５，３５の短手方向の大形化が抑制される。
【００５５】
本実施形態によれば、筐体３の長手方向の両端面３ｅ，３ｆに一対の端板５，５を取り付けるための一対の取付溝２２，２２は、取付部１４が形成された外面３ａにも露出するように形成されており、保護カバー４は、一対の取付溝２２，２２に取り付けられる取付け具としてのタップネジ３７により筐体３の外面３ａに取り付けられるので、外面３ａに保護カバー４を取り付ける取付け用のねじ孔を形成することなく、発光体２を覆って保護カバー４を取り付けることができ、これにより、照明器具１のコストアップを抑制できるという効果を有する。
【００５６】
また、一対の取付溝２２，２２は、筐体３の外面３ａ側が筐体３の内部よりも幅狭に形成されているので、小型のタップネジ３７を用いることができ、保護カバー４の取付け部３５，３５の大形化や筐体３の短手方向の大形化を抑制することができるという効果を有する。
【００５７】
なお、本実施形態において、筐体３の外面３ａに形成された凹溝１６の底面１６ａに取付部１４を設けたが、凹溝１６を設けず、外面３ａを取付部１４にしてもよい。
【００５８】
また、取付け具としてタップネジ３７が用いられ、固定具としてタップネジ３９が用いられたが、これに限らず、例えば一対の取付溝２２，２２に圧入される固定ピンであってもよい。
【００５９】
また、発光素子として、ＬＥＤ素子８を用いたが、有機エレクトロルミネセンス素子などを用いてもよい。
【００６０】
そして、図４に示した筐体３において、一対の取付溝２２，２２および取付溝２４，２４は、図６に示すように形成されてもよい。図６（ａ）の筐体３Ｇは、図４の筐体３において、一対の取付溝２２，２２を取付溝２４，２４と同一の形状としたものである。これにより、保護カバー４を取り付ける取付け具および一対の端板５，５を取り付ける固定具を同一とすることができ、例えばタップネジ３９を用いることができて、部品点数を削減することができる。
【００６１】
また、図６（ｂ）の筐体３Ｈは、図４の筐体３において、取付溝２４，２４を一対の取付溝２２，２２と同一の形状としたものである。これにより、取付溝２４，２４におけるタップネジ３９の削り取り部分が大きくなり、タップネジ３９が取付溝２４，２４により強固に取り付けられ、一対の端板５，５を筐体３Ｈの両端面３ｅ，３ｆにおいて筐体３Ｈにより強固に取り付けることができる。
【００６２】
また、図６（ｃ）の筐体３Ｉは、図４の筐体３において、取付溝２４，２４に替えて円柱状の貫通孔４７，４７を設けたものである。例えばタップネジ３９は、貫通孔４７，４７にさらに強固に取り付けられ、一対の端板５，５を筐体３Ｉの両端面３ｅ，３ｆにおいて筐体３Ｉにさらに強固に取り付けることができる。
【００６３】
次に、本発明の第２の実施形態について述べる。
【００６４】
本実施形態の照明器具１Ａは、図７に示すように構成される。なお、図３と同一部分には同一符号を付して説明は省略する。
【００６５】
照明器具１Ａは、図１ないし図３に示す照明器具１において、取付部１４に一対の凹溝４８，４８が設けられたものである。一対の凹溝４８，４８は、取付部１４から筐体３Ｊの内部に所定の深さを有する断面略Ｕ字形に形成され、筐体３Ｊの長手方向に亘って形成されている。すなわち、一対の凹溝４８，４８は、筐体３Ｊの押出成形によって形成されている。筐体３Ｊは、筐体３に一対の凹溝４８，４８が設けられたものである。
【００６６】
発光体２の実装基板７には、一対の凹溝４８，４８上となる位置に挿通孔４９が実装基板７の長手方向に沿って複数個形成されている。挿通孔４９は、固定部品としてのタップネジ５０が挿通可能な大きさに形成されている。そして、実装基板７の一面７ａ側から挿通孔４９を通したタップネジ５０が凹溝４８にねじ込まれている。タップネジ５０は、そのねじ込み部が凹溝４８の内径と同等または幾分径大のものが用いられている。
【００６７】
タップネジ５０は、凹溝４８を螺旋状に削り取りながら凹溝４８にねじ込まれる。そして、タップネジ５０をその頭部５０ａが実装基板７の一面７ａに当接するまでねじ込むことにより、タップネジ５０が凹溝４８に完全に取り付けられている。こうして、発光体２が筐体３Ｊの取付部１４に取り付けられている。
【００６８】
本実施形態によれば、取付部１４に凹溝４８，４８が設けられ、この凹溝４８，４８に固定される固定部品としてのタップネジ５０により発光体２が取付部１４に取り付けられるので、取付部１４に発光体２の実装基板７を取り付ける取付け用のねじ孔を形成することを要しなく、これにより、照明器具１Ａのコストアップを抑制できるという効果を有する。
【００６９】
なお、本実施形態において、固定部品は、タップネジ５０に限らず、例えば凹溝４８，４８に圧入される固定ピンであってもよい。
【符号の説明】
【００７０】
１，１Ａ…照明器具、  ２…発光体、  ３，３Ｇ，３Ｈ，３Ｉ，３Ｊ…筐体、  ４…保護カバー、  ５，５…一対の端板、  ６…点灯装置、  ７…基板としての実装基板、  ８…発光素子としてのＬＥＤ素子、  １４…取付部、  ２０…貫通孔、  ２２，２２…一対の取付溝、  ３７…取付け具としてのタップネジ、  ３９…固定具としてのタップネジ、  ４８…凹溝、  ５０…固定部品としてのタップネジ
【図１】
2014022262.tif 000003
【図２】
2014022262.tif 000004
【図３】
2014022262.tif 000005
【図４】
2014022262.tif 000006
【図５】
2014022262.tif 000007
【図６】
2014022262.tif 000008
【図７】
2014022262.tif 000009